(57)【要約】【課題】資料（図書や雑誌など）とその資料の付録（ＣＤなど）を１つの資料ＩＤで管理すると共に、当該資料に付録を付けて貸し出したか、付録を付けずに貸し出したのか１つの貸出情報で管理できるようにする。【解決手段】サーバ装置１１は、図書や雑誌などの資料に関する資料情報及び該資料の付録（ＣＤなど）に関する付録情報を１つの資料ＩＤに対応付けて登録した所蔵ＤＢ１２にアクセス可能とし、付録有無判別手段１１ｂ，付録貸出情報設定手段１１ｃを備える。サーバ装置１１は、資料の貸し出し時に、該資料の資料ＩＤに対応する所蔵ＤＢ１２内の付録情報から付録の有無を判別し、その結果、前記資料に付録が有り且つ該付録を付けて貸し出しを行う場合、該付録を付けて貸し出す旨を示す情報を、貸出ＤＢ１３内に登録されている前記資料の貸出情報に設定する。【選択図】図３
2006023978.tif 000002
【特許請求の範囲】
【請求項１】
第１の媒体と、該第１の媒体に付随する第２の媒体とを管理するためのサーバ装置であって、
前記サーバ装置は、１つの識別情報により、第１の媒体と該第１の媒体に付随する第２の媒体とを関連づけた所蔵情報を記録した所蔵データベースにアクセス可能とし、
前記サーバ装置は、所蔵情報から前記第２の媒体の有無を判別する付録有無判別手段と、
前記サーバ装置は、前記第１の媒体に付随する第２の媒体を貸出する場合、該第２の媒体を貸し出したことを示す情報を前記第１の媒体の貸出情報に設定する付録貸出情報設定手段と
を備えていることを特徴とするサーバ装置。
【請求項２】
請求項１に記載のサーバ装置において、該サーバ装置は、第１の媒体の識別情報に対応する貸出情報に基づいて、第２の媒体を貸し出したか否かを判別する付録貸出判別手段を備えていることを特徴とするサーバ装置。
【請求項３】
第１の媒体と、該第１の媒体に付随する第２の媒体とを管理するための貸借管理方法において、
１つの識別情報により、第１の媒体と該第１の媒体に付随する第２の媒体とを関連づけた所蔵情報を記録した所蔵データベースにアクセスし、
所蔵情報から前記第２の媒体の有無を判別し、
前記第１の媒体に付随する第２の媒体を貸出する場合、該第２の媒体を貸し出したことを示す情報を前記第１の媒体の貸出情報に設定することを特徴とする貸借管理方法。
【請求項４】
請求項３に記載の貸借管理方法において、第１の媒体の識別情報に対応する貸出情報に基づいて、第２の媒体を貸し出したか否かを判別することを特徴とする貸借管理方法。
【請求項５】
請求項１又は２に記載のサーバ装置としての機能を実行するためのプログラム。
【発明の詳細な説明】
【技術分野】
【０００１】
本発明は、ある媒体と、この媒体に付随する媒体とを管理するためのサーバ装置、貸借管理方法、及びプログラムに関する。
【背景技術】
【０００２】
近年のＩＴ技術の発達や、安価な記録媒体の提供が可能となったことにより、ＣＤ−ＲＯＭ等の付録が付いた雑誌や図書などの資料が増加している。これらの資料を図書館が購入し、利用者への提供を行う場合には従来以下のような方法がとられていた。
方法１．資料を付録付きのまま書架に置いて利用者への貸し出しを行う。
方法２．付録を資料から外し、資料とは別に管理（例えば、資料とは異なるシリアルなＩＤで管理）、貸し出しを行う。
【発明の開示】
【発明が解決しようとする課題】
【０００３】
しかしながら、上記方法１では、利用者に対して付録なしで資料を貸し出すことができない。すなわち、資料と付録は常に一体で貸し出されることになる。また、上記方法２では、利用者に対して付録なしで貸し出すことは可能だが、付録が複数の資料として管理されるので、貸出冊数や、資料冊数の計算で矛盾が生じる場合がある。また、利用者が資料を持ってきたときにその資料に付録があるのかどうか分かりにくかったり、資料の返却時に付録を持ってこなかった場合の返却処理対応など、付録付き資料の貸借管理が煩雑であった。
【０００４】
本発明は、上述のごとき実情に鑑みてなされたものであり、１つの資料ＩＤで図書や雑誌などの資料（媒体）と、その資料に付随する付録（ＣＤなどの媒体）とを管理できるようにすることを目的とする。
【課題を解決するための手段】
【０００５】
上記課題を解決するために、請求項１の発明は、第１の媒体と、該第１の媒体に付随する第２の媒体とを管理するためのサーバ装置であって、前記サーバ装置は、１つの識別情報により、第１の媒体と該第１の媒体に付随する第２の媒体とを関連づけた所蔵情報を記録した所蔵データベースにアクセス可能とし、前記サーバ装置は、所蔵情報から前記第２の媒体の有無を判別する付録有無判別手段と、前記サーバ装置は、前記第１の媒体に付随する第２の媒体を貸出する場合、該第２の媒体を貸し出したことを示す情報を前記第１の媒体の貸出情報に設定する付録貸出情報設定手段とを備えていることを特徴としたものである。
【０００６】
請求項２の発明は、請求項１の発明において、該サーバ装置は、第１の媒体の識別情報に対応する貸出情報に基づいて、第２の媒体を貸し出したか否かを判別する付録貸出判別手段を備えていることを特徴としたものである。
【０００７】
請求項３の発明は、第１の媒体と、該第１の媒体に付随する第２の媒体とを管理するための貸借管理方法において、１つの識別情報により、第１の媒体と該第１の媒体に付随する第２の媒体とを関連づけた所蔵情報を記録した所蔵データベースにアクセスし、所蔵情報から前記第２の媒体の有無を判別し、前記第１の媒体に付随する第２の媒体を貸出する場合、該第２の媒体を貸し出したことを示す情報を前記第１の媒体の貸出情報に設定することを特徴としたものである。
【０００８】
請求項４の発明は、請求項３の発明において、第１の媒体の識別情報に対応する貸出情報に基づいて、第２の媒体を貸し出したか否かを判別することを特徴としたものである。
【０００９】
請求項５の発明は、請求項１又は２に記載のサーバ装置としての機能を実行するためのプログラムである。
【発明の効果】
【００１０】
１つの識別情報で、図書や雑誌などの資料である第１の媒体と、その資料の付録（ＣＤなど）である第２の媒体とを管理することができる。
【発明を実施するための最良の形態】
【００１１】
図１は、本発明の一実施形態に係る貸借管理システムの全体構成例を示す図で、図中、１０は貸借管理システムで、該貸借管理システム１０は、付録付き資料の貸借管理を行うためのサーバ装置１１、資料に関する資料情報及び該資料の付録に関する付録情報を１つの資料ＩＤに対応付けた所蔵情報を格納するための所蔵データベース１２（以下、所蔵ＤＢという）、資料の貸出情報を格納するための貸出データベース１３（以下、貸出ＤＢという）、図書館員が業務に使用する図書館員側クライアント装置１４（以下、クライアント装置）、図書館の利用者が使用する利用者側クライアント装置１５を備えている。サーバ装置１１は、ネットワーク２０を介して他の図書館システム１０にアクセス可能とし、図書館間は相互に情報のやり取りが出来るように接続されている。尚、付録付き資料とは、コンテンツが記録されたＣＤ−ＲＯＭやＤＶＤなどの記録媒体や別冊付録を付録として有する図書あるいは雑誌のことをいう。ここで、図書あるいは雑誌の本体を第１の媒体（以下、媒体１という）とし、媒体１に付随する物（ＣＤ、ＤＶＤ、別冊等）を第２の媒体（以下、媒体２という）とする。また、資料ＩＤは資料を一意に識別するための識別情報である。
【００１２】
サーバ装置１１は、所蔵ＤＢ１２，貸出ＤＢ１３にアクセス可能とし、各クライアント装置１４，１５と図書館内のＬＡＮ（Ｌｏｃａｌ  Ａｒｅａ  Ｎｅｔｗｏｒｋ）等の専用回線を介して接続されている。また、サーバ装置１１、所蔵ＤＢ１２、及び貸出ＤＢ１３が図書館側に設置されているものとして説明するが、サーバ装置１１が各クライアント装置1４、１５にネットワークを介して接続されていればよく、必ずしも図書館に設置されている必要はない。
【００１３】
さらに、サーバ装置１１に所蔵ＤＢ１２及び貸出ＤＢ１３が物理的に含まれている場合や、ネットワークを介して接続され、物理的に離散している場合のいずれの実施形態としてもよい。サーバ装置１１には、後述する各手段が有する機能を実行するためのプログラムが格納されていればよく、このプログラムには、後述する各手段を図書館員等が使用する際に、操作が容易になるように、ＧＵＩ（グラフィカルユーザインタフェイス）を備えるようにするとよい。
【００１４】
また、図１に示すネットワーク２０としては、有線、無線に限らず専用回線、電話回線等で接続されたインターネットや、インターネット技術を利用したイントラネットの形態でもよく、さらには、専用回線を使用する場合でもＷＡＮ（Ｗｉｄｅ  Ａｒｅａ  Ｎｅｔｗｏｒｋ）やＭＡＮ（Ｍｅｔｒｏｐｏｌｉｔａｎ  Ａｒｅａ  Ｎｅｔｗｏｒｋ）等に限らず、サーバ装置１１の設置場所によっては、ＬＡＮで構成される形態もとりうる。
【００１５】
サーバ装置１１の一般的な構成例について以下に説明する。
サーバ装置１１は、ＣＰＵ，ＲＡＭ，ＲＯＭ，ＨＤＤ等の記憶装置，入力装置，表示装置，通信装置，出力装置，及びシステムバス等を備えた汎用コンピュータであって、本発明に係わるサーバ装置１１を、本発明の貸借管理システムとして機能させるためのプログラム及びデータは、ＲＯＭ又は記憶装置に格納され、実行時にＣＰＵがＲＡＭに読み出すことにより実行される。
【００１６】
また、処理の途中経過や処理結果は、ＣＲＴ，ＬＣＤ等の表示装置を通じて操作者等に提示され、各処理において、操作者は、キーボード，マウス（ポインティングデバイス）等の入力装置から必要なパラメータ等を入力指定する。また、通信装置は各種通信ネットワークに接続するためのネットワークインタフェイスであって、これにより、サーバ装置１１を図書館職員が作業するクライアント装置１４や、利用者が利用するクライアント装置１５にアクセス可能に接続することができる。出力装置はプリンタ等の外部機器と接続してデータを出力する。これらのＣＰＵ，ＲＡＭ，ＲＯＭ，記憶装置，入力装置，表示装置，通信装置，及び出力装置は、システムバスを介して相互に接続されている。
【００１７】
図２は、所蔵ＤＢ１２に格納されたデータ構造と、貸出ＤＢ１３のデータ構造との関係の一例を説明するための図である。所蔵ＤＢ１２は、図書館内に所蔵している資料に関わる所蔵情報が記録されている。ここで、所蔵レコード（所蔵情報）として、資料の資料ＩＤ（図２では資料番号に相当する）、資料名、利用者番号に加えて、付録資料内容（ＣＤ、ＤＶＤ等）の項目を有し、この付録資料内容（ＣＤ、ＤＶＤ等）に、資料の付録に関する情報（例えば、ＣＤ、ＤＶＤなど）を登録可能とする。
貸出ＤＢ１３は、利用者に資料を貸し出した際に、どの利用者に、どの資料を貸し出したのかを示す貸出情報が記録されている。貸出レコード（貸出情報）として、資料の資料ＩＤ、資料名、利用者番号に加えて、貸出付録資料内容（ＣＤ、ＤＶＤ等）の項目を有し、この貸出付録資料内容（ＣＤ、ＤＶＤ等）に、付録を付けて貸し出した旨を示す情報（例えば、ＣＤ貸出や貸出フラグなど）を登録可能とする。このように、貸出付録資料内容の項目は、資料に付随する付録を貸し出したか否かを判定する際に用いられる項目である。
【００１８】
（第１の実施形態）
本実施形態では、付録付き資料の貸出処理について説明する。
図３は、図１に示したサーバ装置１１の詳細な内部構成例を示すブロック図で、サーバ装置１１は、貸出情報作成手段１１ａ，付録有無判別手段１１ｂ，付録貸出情報設定手段１１ｃ，通信手段１１ｄ，所蔵ＤＢ１２，及び貸出ＤＢ１３を備えている。所蔵ＤＢ１２は、所蔵情報として資料に関する資料情報及びその資料の付録に関する付録情報を１つの資料ＩＤに対応付けて登録している。例えば、１つの資料ＩＤ「０００１」が、資料にのみ付与されている。
【００１９】
貸出情報作成手段１１ａは、資料の貸し出し時に、クライアント装置１４から通信手段１１ｄを介して通信された当該資料の資料ＩＤに基づいて貸出情報を作成し、作成した貸出情報を貸出ＤＢ１３に登録する。付録有無判別手段１１ｂは、上記資料ＩＤに対応する所蔵ＤＢ１２の所蔵情報内の付録情報から、資料の付録の有無を判別する。すなわち、図２に示した所蔵レコード（所蔵情報）内の「付録資料内容（ＣＤ、ＤＶＤ等）」の項目に、付録情報（例えば、ＣＤ、ＤＶＤなど）が登録されていれば、その資料は付録有りと判別する。この付録有無判別手段１１ｂにより、資料ＩＤを１つにも関わらず、資料に付録があるか否かを判断することができる。
付録貸出情報設定手段１１ｃは、当該資料に付録有りと判別し、且つ、その付録を付けて貸し出しを行う場合、付録を付けて貸し出した旨を示す情報を付加した貸出情報を貸出ＤＢ１３内に記録する。すなわち、図２に示した貸出レコード（貸出情報）の「貸出付録資料内容（ＣＤ、ＤＶＤ等）」の項目に、付録を付けて貸し出した旨を示す情報（例えば、ＣＤ貸出や貸出フラグなど）を設定する。この付録貸出情報設定手段１１ｃにより、資料が付録をつけて貸し出したか否かを返却時に判断することができるように貸出情報を設定することができる。
なお、ここで、付録資料内容（ＣＤ、ＤＶＤ等）とは、資料に付録があるか否かを識別するための情報であり、付録有無情報と言える。
また、ここで、貸出付録資料内容（ＣＤ、ＤＶＤ等）とは、資料を付録つきで貸出たか否かを区別するための情報であり、貸出付録有無情報と言える。
【００２０】
図４は、図２に示した貸出レコード（貸出情報）に、付録を付けて貸し出した旨を示す情報を設定する際、通信手段１１ｄによりクライアント装置１４等（単数でも複数でも良い）に表示させるメッセージ情報（ポップアップメッセージ）の一例を示す図である。通信手段１１ｄは、付録有無判別手段１１ｂにより付録有りと判別された資料について、図２に示した貸出レコード（貸出情報）に、付録を付けて貸し出した旨を示す情報を設定するかどうか、図書館職員に選択を促すためのポップアップメッセージをクライアント装置１４に送信する。これは、例えば、「貸出情報に（付録を付けて貸し出す旨を示す）情報を設定しますか。（ＣＤＲＯＭ有り）」などのメッセージで、付録貸出情報設定手段１１ｃは、図書館職員が「はい」を選択した場合、（付録を付けて貸し出す旨を示す）情報を貸出情報の貸出付録資料内容（ＣＤ、ＤＶＤ等）に設定を行い、図書館職員が「いいえ」を選択した場合、（付録を付けて貸し出した旨を示す）情報を貸出情報の貸出付録資料内容（ＣＤ、ＤＶＤ等）に設定せずに、資料の貸出を行う。
【００２１】
上記に説明した付録付き資料の貸出処理について、より具体的な利用形態を以下に説明する。まず、資料の利用者は、図書館のカウンターに借りたい資料を持ってきて、同時に利用者証を渡す。図書館職員は、クライアント装置１４を介してサーバ装置１１に利用者ＩＤを送信すると共に、資料の資料ＩＤを送信する。サーバ装置１１は、付録有無判別手段１１ｂを用いて当該資料の付録の有無を判別し、資料に付録が有る場合、図書館職員に対してポップアップメッセージを表示して付録付き資料であることを通知する。
さらに、図書館職員は、クライアント装置１４を利用して、利用者に付録を借りるかどうか確認し、付録も同時に貸し出す場合には、その旨を示す情報（付録を付けて貸し出す旨を示す）を、貸出情報の貸出付録資料内容の項目に設定するようにサーバ装置１１に要求し、付録貸出情報設定手段１１ｃを用いて貸出処理を行う。
【００２２】
本発明によると、資料本体とその付録を１つの資料ＩＤで管理することができる。さらに、資料本体とその付録を１つの資料ＩＤで管理することができるため、資料の冊数等に矛盾が生じることがなく、さらにまた、付録を付けて貸し出したのか、付録を付けずに貸し出したのかを１つの貸出レコード（貸出情報）で管理することができるため、図書館職員は、資料の付録の有無を意識することなく、資料の貸出を行うことができる。
【００２３】
（第２の実施形態）
本実施形態では、付録付き資料の返却処理について説明する。
図５は、図１に示したサーバ装置１１の詳細な内部構成の他の例を示すブロック図で、サーバ装置１１は、通信手段１１ｄ，付録貸出判別手段１１ｅ，返却処理手段１１ｆ，及び貸出ＤＢ１３を備えている。付録貸出判別手段１１ｅは、資料の返却時において、当該資料の資料ＩＤに対応する貸出情報から、付録を付けて貸し出したかどうかを判別する。例えば、付録を付けて貸し出したにもかかわらず、返却時に利用者が付録を忘れたような場合には、資料返却を拒否し、利用者に対して、付録を資料と同時に返却するように要請することができる。
【００２４】
図６は、資料の返却処理を行う際に、通信手段１１ｄにより通知されたクライアント装置１４で表示されるメッセージ情報（ポップアップメッセージ）の一例を示す図である。通信手段１１ｄは、資料返却時において、付録貸出判別手段１１ｅにより付録を付けて貸し出したと判別された資料について、返却処理を行うかどうかの選択を図書館職員に促すためのポップアップメッセージをクライアント装置１４に通知する。これは、例えば、「返却処理を行いますか。（ＣＤ−ＲＯＭ有り）」などのメッセージ情報で、返却処理手段１１ｆは、図書館職員が「はい」を選択した場合、返却処理手段１１ｆを用いて返却処理を行い、図書館職員が「いいえ」を選択した場合、返却処理を行わない。
この付録貸出判別手段１１eにより、利用者が返却を希望する資料ＩＤに基づいて、貸出ＤＢ１３内の該当する貸出情報の貸出付録資料内容（ＣＤ、ＤＶＤなど）の項目を参照して、資料と共に付録を貸し出しているか否かを判別することができる。
また、この付録貸出判別手段１１ｅは付録を貸し出している場合は、クライアント装置１４側にポップアップメッセージを通信手段１１ｄを介して通知することができる。
【００２５】
上記に説明した付録付き資料の返却処理について、より具体的な利用形態を以下に説明する。まず、利用者は、図書館のカウンターに借りていた資料を持ってくる。図書館職員は、クライアント装置１４を介してサーバ装置１１側に資料ＩＤを送信する。サーバ装置１１は、当該資料が付録付きで貸し出されていたかどうか判別し、付録付きで貸し出されていた場合、図書館職員に対してポップアップメッセージをクライアント装置１４に送信してその旨を通知する。図書館職員は、付録を持ってきたかどうかを利用者に確認し、利用者が付録をもってきた場合には、資料を返却してよいことをサーバ装置１１側に通知して返却処理手段１１ｆで返却処理をする。一方、付録を忘れた場合には、クライアント装置１４を介して資料を返却させないことをサーバ装置１１側に通知する。
【００２６】
本発明によると、資料の返却時に、資料と共に付録を貸し出したかどうかを、１つの資料ＩＤのみで確認することができる。より具体的には、資料ＩＤにより読み出された貸出レコード（貸出情報）の貸出付録資料内容の項目からチェックすることができるので、付録の紛失を防止することができる。
【００２７】
図７は、本発明が適用される付録付き資料の貸借管理方法の一例を説明するためのフロー図である。尚、本例は、第１の実施形態及び第２の実施形態に基づいて、付録付き資料の一連の貸出返却処理について説明する。
まず、サーバ装置１１は、資料の貸出時に、資料番号（資料ＩＤ）をクライアント装置１４が読み取った資料ＩＤを受け取り（ステップＳ１）、受け取った資料番号に対応する所蔵ＤＢ１２内の所蔵レコード（所蔵情報）の「付録資料内容（ＣＤ、ＤＶＤ等）」の項目を参照することにより、付録の有無を判断する（ステップＳ２）。所蔵レコードから付録なしと判断された場合（図中、付録なしの場合）、通常の貸出処理を行う（ステップＳ３）。一方、上記ステップＳ２において、所蔵レコードから付録有りと判断された場合（図中、付録有りの場合）、図４に示したポップアップメッセージをクライアント装置１４に送信し、表示させる（ステップＳ４）。
【００２８】
次に、図書館職員は、クライアント装置１４に表示されたポップアップメッセージから、資料に付録を付けて貸し出すかどうかを選択し（ステップＳ５）、付録を付けて貸し出さない場合（ＮＯの場合）、サーバ装置１１は、通常の貸出処理を行う（ステップＳ６）。また、上記ステップＳ５において、付録を付けて貸し出す場合（ＹＥＳの場合）、付録貸出処理を行い（ステップＳ７）、貸出ＤＢ１３内の貸出レコード（貸出情報）の「貸出付録資料内容（ＣＤ，ＤＶＤ等）」の項目に、付録を付けて貸し出した旨を示す情報（例えば、ＣＤ貸出）を設定する（ステップＳ８）。
【００２９】
次に、サーバ装置１１は、資料の返却時に、資料番号（資料ＩＤ）をクライアント装置１４が読み取った資料番号を受け取り（ステップＳ９）、受け取った資料番号に対応する貸出ＤＢ１３内の貸出レコード（貸出情報）の「貸出付録資料内容（ＣＤ、ＤＶＤ等）」の項目を参照することにより、付録を貸し出したかどうかを判断する（ステップＳ１０）。サーバ装置１１は、付録を貸し出したと判断した場合（ＹＥＳの場合）、図６に示すようなポップアップメッセージをクライアント装置１４に送信する。図書館職員は、返却時に、利用者が付録を持ってきたかどうか確認する（ステップＳ１１）。一方、上記ステップＳ１０において、付録を貸し出していないと判断した場合（ＮＯの場合）、通常の資料返却処理を行う（ステップＳ１２）。
【００３０】
図書館職員は、上記ステップＳ１１において、利用者が付録を持ってきたことを確認した場合（ＹＥＳの場合）、資料返却処理を行う（ステップＳ１３）。また、上記ステップＳ１１において、利用者が付録を持ってきていないことを確認した場合（ＮＯの場合）、資料返却処理を行わない（ステップＳ１４）。
【００３１】
以上、本発明の付録付き資料の貸借管理システム、サーバ装置における各機能を中心に各実施形態を説明してきたが、本発明は、貸借管理システムにおける各ステップを実行する方法としても説明したように付録付き資料の貸借管理方法としての形態もとることができる。また、この各機能を有する貸借管理システムと同様に、コンピュータに貸借管理システムとして機能させるためのプログラムとしての形態も、また、そのプログラムを記録した記録媒体としての形態も可能である。
【００３２】
本発明による、付録付き資料の貸借管理機能を実現するためのプログラムやデータを記憶した記録媒体の実施形態について説明する。記録媒体としては、具体的には、ＣＤ−ＲＯＭ（−Ｒ／−ＲＷ）、光磁気ディスク、ＤＶＤ−ＲＯＭ（−Ｒ／−ＲＷ／−ＲＡＭ）、ＦＤ、ＨＤ、フラッシュメモリ、メモリカードや、メモリスティック及びその他各種ＲＯＭやＲＡＭ等が想定でき、これら記録媒体に上述した本発明の各実施形態のシステムとしての機能をコンピュータに実行させ、貸借管理の機能を実現するためのプログラムを記録して流通させることにより、当該機能の実現を容易にする。そしてコンピュータ等の情報処理装置に上記のごとくの記録媒体を装着して情報処理装置によりプログラムを読み出すか、若しくは情報処理装置が備えている記憶媒体に当該プログラムを記憶させておき、必要に応じて読み出すことにより、本発明に関わる付録付き資料の貸借管理機能を実行することができる。
【図面の簡単な説明】
【００３３】
【図１】本発明の一実施形態に係る付録付き資料の貸借管理システムの全体構成例を示す図である。
【図２】所蔵ＤＢに格納されたデータ構造と、貸出ＤＢのデータ構造との関係の一例を説明するための図である。
【図３】図１に示したサーバ装置の詳細な内部構成例を示すブロック図である。
【図４】図２に示した貸出レコードに、付録を付けて貸し出した旨を示す情報を設定する際、通信手段によりクライアント装置等に表示させるメッセージ情報の一例を示す図である。
【図５】図１に示したサーバ装置の詳細な内部構成の他の例を示すブロック図である。
【図６】資料の返却処理を行う際に、通信手段により通知されたクライアント装置で表示されるメッセージ情報の一例を示す図である。
【図７】本発明が適用される付録付き資料の貸借管理方法の一例を説明するためのフロー図である。
【符号の説明】
【００３４】
１０…貸借管理システム、１１…サーバ装置、１１ａ…貸出情報作成手段、１１ｂ…付録有無判別手段、１１ｃ…付録貸出情報設定手段、１１ｄ…通信手段、１１ｅ…付録貸出判別手段、１１ｆ…返却処理手段、１２…所蔵ＤＢ、１３…貸出ＤＢ、１４…図書館員側クライアント装置、１５…利用者側クライアント装置、２０…ネットワーク。
【図１】
2006023978.tif 000003
【図２】
2006023978.tif 000004
【図３】
2006023978.tif 000005
【図４】
2006023978.tif 000006
【図５】
2006023978.tif 000007
【図６】
2006023978.tif 000008
【図７】
2006023978.tif 000009